(57)【要約】      （修正有）【課題】マスクと顔面の密着性を高め、かつ、再利用の収納の際に衛生的、簡易、コンパクトに収納可能なマスクを提供する。【解決手段】複数の台形の襞２２ａ〜２２ｊが折りたたまれたシートで形成され、台形の上底および下底以外の２辺で襞が接合される本体部２０と、本体部２０の、台形の下底の端点の角部に取り付けられる１対の耳掛け紐３０と、を有することを特徴とするマスク１０。【選択図】図１
2012045144.tif 000002
【特許請求の範囲】
【請求項１】
複数の台形の襞が折りたたまれたシートで形成され、前記台形の上底および下底以外の２辺で前記襞が接合される本体部と、
前記本体部の、前記台形の下底の端点の角部に取り付けられる１対の耳掛け紐と、
を有することを特徴とするマスク。
【請求項２】
前記複数の台形の襞において、前記台形の高さがすべて等しいことを特徴とする請求項１記載のマスク。
【発明の詳細な説明】
【技術分野】
【０００１】
本発明は、マスク、特に携帯用のマスクに関する。
【背景技術】
【０００２】
花粉、粉塵、細菌等の微小物の吸い込みを防止する観点からマスクと顔面の密着性を高めることは重要である。特許文献１には、シート材料を折りたたんで襞をもうけることでマスクの密着性を向上させる技術が開示されている。
【０００３】
また、一方でマスクの携帯性を向上させるため、コンパクト、衛生的、かつ形状を損なわずに持ち運びができることが望まれる。
【先行技術文献】
【特許文献】
【０００４】
【特許文献１】特開２００７−９７９０４号公報
【発明の概要】
【発明が解決しようとする課題】
【０００５】
もっとも、マスクと顔面の密着性を高め、かつ、コンパクト、衛生的、かつ形状を損なわずに持ち運びができるマスクは必ずしも実現されていない。
【０００６】
本発明は、上記事情を考慮してなされたものであり、その目的とするところは、マスクと顔面の密着性を高め、かつ、コンパクト、衛生的、かつ形状を損なわずに持ち運びができるマスクを提供することにある。
【課題を解決するための手段】
【０００７】
本発明の一態様のマスクは、複数の台形の襞が折りたたまれたシートで形成され、前記台形の上底および下底以外の２辺で前記襞が接合される本体部と、前記本体部の、前記台形の下底の端点の角部に取り付けられる１対の耳掛け紐と、を有することを特徴とする。
【０００８】
上記態様のマスクにおいて、前記複数の台形の襞において、前記台形の高さがすべて等しいことが望ましい。  
【発明の効果】
【０００９】
本発明によれば、マスクと顔面の密着性を高め、かつ、コンパクト、衛生的、かつ形状を損なわずに持ち運びができるマスクを提供することが可能となる。
【図面の簡単な説明】
【００１０】
【図１】実施の形態のマスクの模式図である。
【図２】実施の形態のマスクの本体部のシートの展開図である。
【図３】実施の形態のマスクの一例の収納時の上面写真である。
【図４】図３のマスクを装着時の状態にした外側からの写真である。
【図５】実施の形態のマスクの一例の装着時の写真である。
【図６】実施の形態のマスクの一例の装着時の写真である。
【図７】実施の形態のマスクの一例の作用を示す写真である。
【図８】実施の形態のマスクの一例の作用を示す写真である。
【図９】実施の形態のマスクの一例の作用を示す写真である。
【図１０】実施の形態のマスクの一例の作用を示す写真である。
【発明を実施するための形態】
【００１１】
以下、図面を参照しつつ本発明の実施の形態を詳細に説明する。
【００１２】
なお、本明細書中、マスクの装着状態で肌に対向する側、すなわち、鼻や口に接する側をマスクの内側と称し、肌に対向しない側をマスクの外側と称するものとする。また、マスクの装着状態で鼻側に来る方向をマスクの上側、顎側に来る方向をマスクの下側と称するものとする。
【００１３】
実施の形態のマスクは、複数の台形の襞が折りたたまれたシートで形成され、台形の上底（平行な辺のうちの短い方）および下底（平行な辺のうちの長い方）以外の２辺で襞が接合される本体部と、本体部の、台形の下底の端点の角部に取り付けられる１対の耳掛け紐と、を有する。
【００１４】
図１は、実施の形態のマスクの模式図である。図１（ａ）が上側から見た上面図、図１（ｂ）が下側から見た下面図、図１（ｃ）が図１（ａ）のＡ−Ａ断面図である。なお、図１（ｃ）においては、シートの厚みは示していない。また、図２は実施の形態のマスクの本体部のシートの展開図である。
【００１５】
実施の形態のマスク１０は、図２に示すように、１０個の台形の襞２２ａ〜２２ｊが折り目で折りたたまれたシートで形成される本体部２０を有している。この本体部２０は、図１（ａ）、図１（ｂ）に示すように、台形の上底および下底以外の２辺に位置する二つの接合部２４ａ、２４ｂですべての襞２２ａ〜２２ｊが接合される。なお、図２は、本体部２０の接合部２４ａ、２４ｂでのシートの接合を外して展開した展開図である。
【００１６】
シートの材料は、通気性を有するものであれば、特に限定されるものではない。マスクに用いられる公知の材料はいずれも適用可能である。もっとも、加工のしやすさや経済性の観点からは不織布を用いることが望ましい。また、シートは単層であっても、複数の種類のシートを積層させたものであってもかまわない。
【００１７】
接合部２４ａ、２４ｂにおける襞の接合は、例えば、ヒートシールによる融着、接着剤を用いた接着、縫合などが適宜用いられる。
【００１８】
また、マスク１０は、図１（ａ）、図１（ｂ）に示すように、本体部２０の、台形の下底の端点の角部に取り付けられる１対の耳掛け紐３０を有している。すなわち、マスク１０の左右両側にそれぞれ耳掛け紐が取り付けられる。耳掛け紐３０は、ゴム等の伸縮性のある素材であることが望ましい。耳掛け紐３０の本体部２０への取り付けは、縫合、接着や、本体部２０に設けられた穴に通すなどの方法で行われる。
【００１９】
さらに、１０個の襞の内、最も上側の襞２２ａの外側近傍には、マスク本体部２０の左右方向に伸びるノーズクランプ２６が設けられることが好ましい。ノーズクランプ２６は、例えば、金属性である。ノーズクランプ２６は、例えば、細線形状を呈し、マスク１０を装着した際に、マスク本体部２０の上側が鼻の凹凸形状に沿うようにするために用いられる。したがって、ノーズクランプ２６は塑性変形可能な材料であることが望ましい。
【００２０】
ノーズクランプ２６は襞２２ａの外側、内側のいずれに取り付けてもかまわない。また、本体部２０のシートが複数のシートの積層されたものであれば、シート間に挿入されて取り付けられるものであってもかまわない。
【００２１】
図３は、実施の形態のマスクの一例の使用前の上面写真である。図４は、図３のマスクを装着時の状態にした外側からの写真である。図５は、図３のマスクを装着時の状態にした内側からの写真である。
【００２２】
図３から明らかなように、実施の形態のマスク１０は、すべての台形形状の襞２２ａ〜２２ｊを左右２箇所で接合する構成により、使用前には棒状の極めてコンパクトな形状である。したがって、携帯性に優れている。例えば、マスク１０の棒状の外形に合わせた携帯用のバッグに収納することで容易に持ち運ぶことが可能となる。
【００２３】
また、棒状にたたまれていることから、マスクの形状が崩れにくいという利点もある。さらに、マスク１０内側の肌、特に口や鼻孔に接することになる部分は、たたまれた状態では、ほとんど外部に露出していないため、汚れが付きにくく、極めて衛生的である。
【００２４】
マスク１０を装着する場合には、上側の襞２２ａと下側の襞２２ｊのそれぞれを両手でつまみ、上下に引っ張ることで、容易に接合部２４ａ、２４ｂ以外の襞が折り目で開き、図４、図５に示すように展開される。図４、図５に示すように、接合部２４ａ、２４ｂですべての襞の台形の上底および下底以外の２辺を接合していることで、マスク１０の装着時に、着用者の口元に形成されるカップ形状の空間を十分に大きくすることができる。
【００２５】
同時に、襞２２ａ〜２２ｊが台形形状であり、耳掛け紐３０が、本体部２０の接合部２４ａ、２４ｂの、台形の下底の端点の角部に取り付けられることで、鼻、頬、顎にかけてのマスク１０との隙間が極めて小さくなり、十分な密着性が確保される。
【００２６】
図６は実施の形態のマスクの一例の装着時の写真である。着用者の口元に形成されるカップ形状の空間を十分に大きくすることができるとともに、鼻、頬、顎にかけての密着性も確保されることがわかる。
【００２７】
図７〜図１０は、実施の形態のマスクの一例の作用を示す写真である。装着した後例えば、マスク１０を廃棄するために、マスクをたたむ際のたたみ方を連続的に示している。
【００２８】
装着が終わったマスク１０は、図８に示すように、両手で接合部２４ａ、２４ｂをつまみ、左右に引っ張ることで、容易に図１０に示すようなたたんだ状態にすることが可能となる。これは、襞２２ａ〜２２ｊを台形にし、接合部２４ａ、２４ｂですべての襞の台形の上底および下底以外の２辺を接合していることによって生ずる作用である。
【００２９】
また、マスクをたたむ際、マスク１０内側の肌、特に口や鼻孔に接した部分には手を触れることなくたたむことができるため、極めて衛生的である。さらに、マスクの折りたたまれた収納時の状態では、マスク１０内側の肌、特に口や鼻孔に接した部分が、折り目以外は外にふれることがない。したがって、マスク１０からの汚れの付着も抑制されるため、極めて衛生的である。
【００３０】
一度使用したマスクを携帯して、再利用するような場合にも、コンパクト、衛生的、かつ形状を損なわずに持ち運びができる点は有用である。
【００３１】
以上のように、本実施の形態によれば、マスクと顔面の密着性を高め、かつ、コンパクト、衛生的、かつ形状を損なわずに持ち運びができるマスクを実現できる。
【００３２】
以上、具体例を参照しつつ本発明の実施の形態について説明した。上記、実施の形態はあくまで、例として挙げられているだけであり、本発明を限定するものではない。また、実施の形態の説明においては、マスク等の説明に直接必要としない部分等については記載を省略したが、必要とされるマスク等に関わる要素を適宜選択して用いることができる。
【００３３】
例えば、実施の形態においては、襞の数を１０個としたが、必ずしも１０個に限定されるわけではない。
【００３４】
また、例えば、実施の形態においては、複数の台形の襞において、台形の高さ、すなわち襞の深さがすべて等しい場合を例に説明した。収納時のマスクサイズをコンパクトにする観点からは、高さが等しいことが望ましいが、高さが異なっていてもかまわない。
【００３５】
その他、本発明の要素を具備し、当業者が適宜設計変更しうる全てのマスクが、本発明の範囲に包含される。本発明の範囲は、特許請求の範囲およびその均等物の範囲によって定義されるものである。
【符号の説明】
【００３６】
１０      マスク
２０      本体部
２２ａ〜２２ｊ      襞
２４ａ、２４ｂ      接合部
２６      ノーズクランプ
３０      耳掛け紐
【図１】
2012045144.tif 000003
【図２】
2012045144.tif 000004
【図３】
2012045144.tif 000005
【図４】
2012045144.tif 000006
【図５】
2012045144.tif 000007
【図６】
2012045144.tif 000008
【図７】
2012045144.tif 000009
【図８】
2012045144.tif 000010
【図９】
2012045144.tif 000011
【図１０】
2012045144.tif 000012